(57)【要約】【課題】  検出表示灯の点灯時の光出力を変化させることができる人感センサーを提供する。【解決手段】  人感センサー１は、所定の検出範囲における人体の存否を判定する存否判定部２と、検出範囲に人体が存在すると存否判定部２によって判定されている期間に点灯される電気的光源からなる検出表示灯３とを備える。操作入力を受けて検出表示灯３の点灯時の光出力を変化させる表示設定部４を設けた。表示設定部４の操作により、検出表示灯３の光出力を変化させることができる。【選択図】図１
2011181340.tif 000002
【特許請求の範囲】
【請求項１】
所定の検出範囲における人体の存否を判定する存否判定部と、
前記検出範囲に人体が存在すると前記存否判定部によって判定されている期間に点灯される電気的光源からなる検出表示灯と、
操作入力を受けて前記検出表示灯の点灯時の光出力を変化させる表示設定部とを備えることを特徴とする人感センサー。
【請求項２】
熱線を検出する熱線センサーと、
前記検出範囲からの熱線を前記熱線センサーに集光する集光レンズとを備え、
前記存否判定部は、前記検出範囲における人体の存否を前記熱線センサーの出力に基いて判定するものであり、
前記検出表示灯の光は、前記集光レンズを通じて出射するものであって、
前記熱線センサーと前記集光レンズと前記存否判定部と前記検出表示灯と前記表示設定部とをそれぞれ保持するとともに取付面に対して固定されるハウジングを備え、
前記熱線センサーと前記集光レンズとは、それぞれ、前記ハウジングに対し前記取付面に沿った所定の検出方向に前記検出範囲が形成される向きで保持されていて、
前記ハウジングに着脱自在に結合し、前記ハウジングに結合した状態では前記表示設定部を覆い且つ前記検出方向から見て前記集光レンズを露出させるカバーを備え、
前記カバーは、前記ハウジングに結合した状態では、前記取付面に直交する方向から見て前記集光レンズを覆うことを特徴とする請求項１記載の人感センサー。
【発明の詳細な説明】
【技術分野】
【０００１】
本発明は、人感センサーに関するものである。
【背景技術】
【０００２】
従来から、所定の検出範囲の人体を検出する人感センサーが提供されている。人感センサーとしては、例えば、検出範囲内の人体から放射される熱線（赤外光）を検出するものや、検出範囲を撮像した画像に画像処理を施すことにより人体を検出するものや、検出範囲に超音波を放射するとともに反射された超音波を検出するものなどがある。
【０００３】
この種の人感センサーとして、人体が検出されている期間にのみ点灯される電気的光源からなる検出表示灯を備えるものがある（例えば、特許文献１参照）。すなわち、使用者は、検出表示灯の点灯を見て、人感センサーが正常に動作しているか否かを知ることができる。
【先行技術文献】
【特許文献】
【０００４】
【特許文献１】特開平５−８７６２８号公報
【発明の概要】
【発明が解決しようとする課題】
【０００５】
従来、検出表示灯による表示のオンオフを切り替え可能な人感センサーは提供されていたものの、検出表示灯の点灯時の光出力を変更可能な人感センサーは無かった。
【０００６】
本発明は、上記事由に鑑みて為されたものであり、その目的は、検出表示灯の点灯時の光出力を変化させることができる人感センサーを提供することにある。
【課題を解決するための手段】
【０００７】
第１の発明は、所定の検出範囲における人体の存否を判定する存否判定部と、前記検出範囲に人体が存在すると前記存否判定部によって判定されている期間に点灯される電気的光源からなる検出表示灯と、操作入力を受けて前記検出表示灯の点灯時の光出力を変化させる表示設定部とを備えることを特徴とする。
【０００８】
第２の発明は、熱線を検出する熱線センサーと、前記検出範囲からの熱線を前記熱線センサーに集光する集光レンズとを備え、前記存否判定部は、前記検出範囲における人体の存否を前記熱線センサーの出力に基いて判定するものであり、前記検出表示灯の光は、前記集光レンズを通じて出射するものであって、前記熱線センサーと前記集光レンズと前記存否判定部と前記検出表示灯と前記表示設定部とをそれぞれ保持するとともに取付面に対して固定されるハウジングを備え、前記熱線センサーと前記集光レンズとは、それぞれ、前記ハウジングに対し前記取付面に沿った所定の検出方向に前記検出範囲が形成される向きで保持されていて、前記ハウジングに着脱自在に結合し、前記ハウジングに結合した状態では前記表示設定部を覆い且つ前記検出方向から見て前記集光レンズを露出させるカバーを備え、前記カバーは、前記ハウジングに結合した状態では、前記取付面に直交する方向から見て前記集光レンズを覆うことを特徴とする。
【発明の効果】
【０００９】
本発明によれば、表示設定部を操作することで、検出表示灯の点灯時の光出力を変化させることができる。
【図面の簡単な説明】
【００１０】
【図１】本発明の実施形態を示すブロック図である。
【図２】同上の使用状態を示すブロック図である。
【図３】同上においてカバーが取り外された状態を示す正面図である。
【図４】同上を示す斜視図である。
【図５】同上の比較例を示す斜視図である。
【発明を実施するための形態】
【００１１】
以下、本発明を実施するための最良の形態について、図面を参照しながら説明する。
【００１２】
本実施形態の人感センサー１は、図１に示すように、所定の検出範囲における人体の存否を判定する存否判定部２と、検出範囲に人体が存在すると存否判定部２によって判定されている期間に点灯される電気的光源からなる検出表示灯３と、操作入力を受けて前記検出表示灯の点灯時の光出力を変化させる表示設定部４とを備える。
【００１３】
存否判定部２は、検出範囲から放射された熱線（赤外光）を検出する熱線センサー（図示せず）と、熱線センサーの出力に基いて検出範囲における人体の存否を判定し判定結果に応じた電気信号を出力する判定回路（図示せず）とからなる。熱線センサーとしては周知の焦電センサーを用いることができ、上記のような存否判定部２は周知技術で実現可能であるので詳細な図示並びに説明は省略する。
【００１４】
検出表示灯３は、例えば周知の発光ダイオードからなる。
【００１５】
表示設定部４は、操作入力を受けて電気抵抗を変化させる周知の可変抵抗器からなり、検出表示灯３への給電路に挿入され、検出表示灯３に供給される電流を変化させることで検出表示灯３の光出力を変化させる。
【００１６】
さらに、人感センサー１は、図２に示すように、少なくとも１個の負荷Ｚや、各負荷Ｚをそれぞれ制御する中央制御装置ＣＴとともに、２線式の伝送線路ＳＬにバス接続して用いられる。上記の負荷Ｚや中央制御装置ＣＴや人感センサー１にはそれぞれ予めアドレスが付されており、中央制御装置ＣＴは、伝送線路ＳＬを介した周知の多重伝送技術において上記のアドレスを用いて人感センサー１や負荷Ｚとの間で個別に通信を行なう。そして、中央制御装置ＣＴは、人感センサー１の出力に応じて、人感センサー１のアドレスに予め対応付けられたアドレスを付された負荷Ｚを制御する。
【００１７】
また、人感センサー１は、伝送線路ＳＬに接続される伝送部５と、伝送線路ＳＬを介して給電され人感センサー１の各部の電源を生成する電源部６と、人感センサー１に設定されるアドレスが入力されるアドレス入力部７と、不揮発性メモリからなりアドレス入力部７に入力されたアドレスが格納される記憶部８と、存否判定部２の判定結果に応じて、記憶部８に格納されたアドレスの情報を含む電気信号を中央制御装置ＣＴに伝送するように伝送部５を制御する制御部９とを備える。
【００１８】
伝送部５と電源部６とはそれぞれ周知の電気回路で実現可能であるので詳細な図示並びに説明は省略する。
【００１９】
また、アドレス入力部７は、外部のアドレス設定器（図示せず）との間で光信号を送受信するものである。上記のアドレス設定器は、アドレスを指定する操作入力を受け、指定されたアドレスを示す光信号を送信するものである。上記のようなアドレス入力部７とアドレス設定器とはともに周知技術で実現可能であるので、詳細な図示並びに説明は省略する。
【００２０】
記憶部８としては、例えばＥＥＰＲＯＭを用いることができる。
【００２１】
制御部９は、例えばマイクロコントローラを用いて周知技術で実現可能であるので、詳細な図示並びに説明は省略する。
【００２２】
さらに、人感センサー１は、検出範囲の明るさを検出する明るさセンサー１０と、存否判定部２の判定結果が不在から存在に変化したときの動作を行う明るさの上限値を設定する操作入力を受け付ける明るさ設定部１１と、遅延時間（後述）を設定する操作入力を受け付ける遅延時間設定部１２とを備える。
【００２３】
すなわち、制御部９は、明るさセンサー１０によって検出されている明るさが、明るさ設定部１１に設定されている上限値よりも低い期間にのみ、存否判定部２による判定結果が不在から存在に変化したときに、記憶部８に格納されたアドレスの情報を含む所定の電気信号を中央制御装置ＣＴに伝送するように伝送部５を制御する。中央制御装置ＣＴは、上記の電気信号を受信して、上記アドレスに予め対応付けられたアドレスを付された負荷Ｚ（例えば照明負荷）をオン制御する。
【００２４】
また、制御部９は、存否判定部２による判定結果が不在である状態の継続時間を計時し、該継続時間が、遅延時間設定部１２に設定された遅延時間に達したときに、記憶部８に格納されたアドレスの情報を含む所定の電気信号を中央制御装置ＣＴに伝送するように伝送部５を制御する。中央制御装置ＣＴは、上記の電気信号を受信して、上記アドレスに予め対応付けられたアドレスを付された負荷Ｚをオフ制御する。
【００２５】
明るさセンサー１０は、例えばＣｄＳ素子やフォトダイオードを用いて周知技術で実現可能である。
【００２６】
明るさ設定部１１及び遅延時間設定部１２には、それぞれ、例えば可変抵抗器やロータリースイッチを用いることができる。
【００２７】
ここで、上記の各部は、図３に示すようなハウジング２０に保持されている。ハウジング２０は例えば合成樹脂からなり、扁平な直方体形状であって厚さ方向の一面（図３における紙面奥側の面。以下、「後面」と呼ぶ。）を壁面等の取付面（図示せず）に向けて取付面に固定されるベース部２０ａと、ベース部２０ａの前面に突設された直方体形状のボス部２０ｂとを有する。表示設定部４と、アドレス入力部７と、明るさ設定部１１と、遅延時間設定部１２とは、それぞれボス部２０ｂの前方に露出している。
【００２８】
以下、上下左右は図３を基準とする。
【００２９】
ハウジング２０において、ボス部２０ｂの下側には、下方に膨出した半球形状であって検出範囲からの赤外光を存否判定部２の熱線センサーに集光する集光レンズ２１が保持されている。集光レンズ２１は例えば透明な合成樹脂からなる周知の多焦点レンズである。集光レンズ２１は、前方から見てボス部２０ｂの下面から下方へ突出しており、検出範囲は、取付面に沿った検出方向である下方向に形成される。
【００３０】
さらに、検出表示灯３と、明るさセンサー１０とは、それぞれ集光レンズ２１よりも内側（上側）に保持されている。すなわち、検出表示灯３の光は集光レンズ２１を通して出射し、また、明るさセンサー１０は集光レンズ２１を通じて検出範囲から入射した光を検出する。
【００３１】
また、ハウジング２０には、図４に示すように、不透明な材料からなるカバー２２が着脱自在に取り付けられる。カバー２２は、例えば合成樹脂からなり、ハウジング２０に取り付けられた状態では、ハウジング２０のボス部２０ｂの上面と左右の側面と前面とを覆う。
【００３２】
詳しく説明すると、カバー２２は、全体として前面が下方に向かって前方へ傾斜した台形角柱状であり、中空であって後面から下面にかけて開口している。また、カバー２２において、左右に対向する内面の後端部には、それぞれ係止爪（図示せず）が左右方向の内向きに突設されている。ボス部２０ｂの左右の両側面には、それぞれ、後面がベース部２０ａの前面よりも前側に位置する係止凸部２０ｃが突設されている。そして、カバー２２は、各係止爪がそれぞれ上方から係止凸部２０ｃの後側に導入されることでハウジング２０に取り付けられる。すなわち、カバー２２は、ハウジング２０に取り付けられた状態では、内面がボス部２０ｂに当接することでハウジング２０に対する下方及び左右方向への変位を禁止され、後端がベース部２０ａの前面に当接することでハウジング２０に対する後方への変位を禁止され、各係止爪がそれぞれ係止凸部２０ｃの後面に当接することでハウジング２０に対する前方への変位を禁止される。また、カバー２２がハウジング２０に取り付けられた状態であっても、集光レンズ２１は検出方向である下方向から見て露出する。
【００３３】
さらに、カバー２２の寸法形状は、取付面に直交する方向である前方から見て集光レンズ２１を覆う程度に充分に大きくされている。つまり、検出表示灯３の光は、前方からは確認できなくなっている。これにより、図５に示すように前方から見て集光レンズ２１を露出させる場合に比べ、検出表示灯３の光が目立ちにくくなっている。
【００３４】
上記構成によれば、表示設定部４を操作することで、検出表示灯３の点灯時の光出力を調整することができる。
【００３５】
ここで、本実施形態においては、明るさセンサー１０が検出表示灯３に近接配置されているので、検出表示灯３の光が明るさセンサー１０の出力に影響を与える可能性があるが、表示設定部４の操作により検出表示灯３の光出力を低下させれば上記の影響を小さくすることができる。
【符号の説明】
【００３６】
１  人感センサー
２  存否判定部
３  検出表示灯
４  表示設定部
２０  ハウジング
２１  集光レンズ
２２  カバー
【図１】
2011181340.tif 000003
【図２】
2011181340.tif 000004
【図３】
2011181340.tif 000005
【図４】
2011181340.tif 000006
【図５】
2011181340.tif 000007